(57)【要約】【課題】  メガネのフロント部を簡単な機構で跳ね上げ及び折畳むことが出来ると共に位置決めがなされるメガネの提供。【解決手段】  ワタリ２の中央に取付け部７，７を設け、この取付け部７，７には中央部材９を軸ネジ２１を介して回転可能に軸支し、中央部材９は上記軸ネジ２１を嵌めたコイルバネ２２が収容される軸受け部１２を設けている。そして、中央部材９にはフロント部１を構成するリム６，６を固定するアーム１７，１７と該フロント部１が旋回して跳ね上げられる軸１９，１９とを設けたフロント部跳ね上げ部材１６を組み込み、フロント部跳ね上げ部材１６には中央部材９に設けた正面板側へ付勢されるコイルバネ２３，２３を取付けている。【選択図】  図６
2016114641.tif 000002
【特許請求の範囲】
【請求項１】
フロント部を所定の角度に跳ね上がることが出来、また収納ケースに収容する際にはコンパクトに折畳むことが出来る跳ね上げ・折畳み式メガネにおいて、ワタリの中央に取付け部を設け、この取付け部には中央部材を軸ネジを介して回転可能に軸支し、中央部材は上記軸ネジを嵌めたコイルバネが収容される軸受け部を設け、そして、上記中央部材にはフロント部を構成するリムを固定するアームと該フロント部が旋回して跳ね上げられる軸とを設けたフロント部跳ね上げ部材を組み込み、上記フロント部跳ね上げ部材には中央部材に設けた正面板側へ付勢される弾性材を取付けたことを特徴とする跳ね上げ・折畳み式メガネ。
【請求項２】
上記中央部材に上記弾性材としてコイルバネを収容するバネ収容空間を設け、該バネ収容空間の先端面と正面を傾斜し、圧縮したコイルバネのバネ力にてフロント部跳ね上げ部材を正面側へ押圧するようにした請求項１記載の跳ね上げ・折畳み式メガネ。
【請求項３】
フロント部跳ね上げ部材の軸の正面には正面板に先端が当接する当り片を突出し、フロント部を跳ね上げた際にアームと軸を繋ぐ連結部が係合すると共に底面に当接する切欠き部を正面板の下端部に形成した請求項２記載の跳ね上げ・折畳み式メガネ。
【請求項４】
フロント部を所定の角度に跳ね上がることが出来る跳ね上げ式メガネにおいて、ワタリの中央に中央部材を設け、この中央部材にはフロント部の一部となるリムを固定するアームと該フロント部が旋回して跳ね上げられる軸とを設けたフロント部跳ね上げ部材を組み込み、上記フロント部跳ね上げ部材には中央部材に設けた正面板側へ付勢される弾性材を取付けたことを特徴とする跳ね上げ式メガネ。
【請求項５】
上記中央部材に上記弾性材としてコイルバネを収容するバネ収容空間を設け、該バネ収容空間の先端面と正面を傾斜し、圧縮したコイルバネのバネ力にてフロント部跳ね上げ部材を正面側へ押圧するようにした請求項４記載の跳ね上げ式メガネ。
【請求項６】
フロント部跳ね上げ部材の軸の正面には正面板に先端が当接する当り片を突出し、フロント部を跳ね上げた際にアームと軸を繋ぐ連結部が係合すると共に底面に当接する切欠き部を正面板の下端部に形成した請求項５記載の跳ね上げ式メガネ。
【発明の詳細な説明】
【技術分野】
【０００１】
本発明はフロント部がブリッジを中心として回転することで跳ね上げることが出来、また、折畳んでコンパクトに収納することが可能な、跳ね上げ・折畳み式メガネに関するものである。
【背景技術】
【０００２】
近年、前掛け式メガネや跳ね上げ式メガネが多用されているが、前掛け式メガネとはフロント部の正面に別の前掛けフレームを着脱可能に取付けるように構成している。これに対して、跳ね上げ式メガネとは、跳ね上げフレームを着脱することなく、必要に応じて該跳ね上げフレームを上方へ跳ね上げることが出来る構造としている。
【０００３】
前掛け式メガネと跳ね上げ式メガネとは、その利便性に関して一長一短があり、各自が好みに応じて選択することが出来る。本発明では跳ね上げ式メガネを対象としているが、跳ね上げフレーム（フロント部）を跳ね上げるための機構は色々存在している。しかし、基本構造は同じであり、フロント部側に設けた軸を介して上方へ回転出来ると共に、所定の角度に保持されて落下しない構造と成っている。
【０００４】
特開２００４−３３４０６７号に係る「着脱可能な跳ね上げ眼鏡枠」は、マグネットの磁力により簡単に操作出来る着脱可能な前掛け式跳ね上げ多機能型眼鏡枠である。すなわち、前掛けフレームを着脱、跳ね上げ両機能をブリッジに集約するためにフレームを正面から見て逆Ｖ字形、更に跳ね上げ角度においても９０度〜１３０度のＶ字形にする事が大事で両ブリッジを重ね合わせた状態で相対的な位置にマグネットを装嵌して、マグネットの磁力を利用してフロントフレームブリッジと前掛けフレームブリッジを保持、安定させている。
【０００５】
実用新案登録第３１２１７３０号に係る「跳ね上げ式眼鏡枠」は、可動フレーム部が前面に跳ね上がるための機構部を、背面あるいは同軸上に設置し、全体のデザインを損なわないように組み入れるとともに、弾性力の発生部を眼鏡本体部と可動フレーム部の双方に複数分散させ、倍力作用を得て、従来の弾性力発生の小型化の限界を超えて小型化させたメガネである。
そこで、可動フレームに取り付けられたリムは、跳ね上げ軸、跳ね上げ軸を中心に回転が可能で、眼鏡本枠部から前面にリムが回り出ることができ、さらに弾性体の実施例の一つの形態であるスプリング、スプリングの作用で噛み合わせ部に厚接作用が生じ、どのような角度でも随時固定できるようにしている。
【０００６】
このように、従来の跳ね上げ式メガネはその跳ね上げ機構は色々知られている。しかし、跳ね上げ式メガネは常時着用しないで一時的に着用することが多く、そのためにはケースに入れて携帯しなくてはならない。したがって、ケースに収容する為にはコンパクトに収まるように折畳まれることが要求される。
【０００７】
特開２０１２−２４２６２８号に係る「跳ね上げ・折畳み式メガネ」は、メガネのフロント部を跳ね上げることが出来ると共に折畳むことが出来るメガネである。そこで、ワタリ背面側中央には軸を取付けると共に該軸には中央連結部材を軸支し、該軸には中央連結部材が上昇してワタリに当接するようにバネ力を付勢したコイルバネを取付けている。
そして中央連結部材はワタリの下側を通過して正面側へアームを延ばし、該アームの先端に取付けた軸にはフロント部のブリッジを回動可能に取付けると共にアームとブリッジの脚との間に回動摩擦を得るためにコイルバネを軸に取付けている。
【０００８】
ところで、アームとブリッジの脚との間に回動摩擦を得る為にコイルバネを軸に取付けているが、フロント部の跳ね上げ角度が安定しないといった虞がある。
【特許文献１】特開２００４−３３４０６７号に係る「着脱可能な跳ね上げ眼鏡枠」
【特許文献２】実用新案登録第３１２１７３０号に係る「跳ね上げ式眼鏡枠」
【特許文献３】特開２０１２−２４２６２８号に係る「跳ね上げ・折畳み式メガネ」
【発明の開示】
【発明が解決しようとする課題】
【０００９】
このように従来の跳ね上げ式メガネには上記のごとき問題がある。本発明が解決しようとする課題はこの問題点であり、跳ね上げ機構を簡単に構成すると共に、フロント部を定位置に跳ね上げることが出来、しかも折畳むことでケースにコンパクトに収納することが出来るように構成した跳ね上げ・折畳み式メガネを提供する。
【課題を解決するための手段】
【００１０】
本発明に係る跳ね上げ・折畳み式メガネは、そのフロント部が軸を中心として回転して自由に跳ね上げられる。そして、フロント部は跳ね上げ方向とは反対方向に旋回して折畳むことが出来るように成っている。フロントフレーム（一般的にはワタリ）の両側端には継手を介してツルが折り畳み出来るように連結し、ワタリの中央にフロント部が取付けられている。
【００１１】
ところで、上記ワタリの中央には取付け部が設けられ、この取付け部に設けた水平軸を中心として中央部材が上下方向に回転することが出来るように取付けられている。
そして、この中央部材にフロント部跳ね上げ部材が組み込まれている。該フロント部跳ね上げ部材は、回転軸と連結部を介してアームを繋ぎ、アームは回転軸と平行に両側へ延び、このアーム先端にフロント部を構成するリムを連結・固定している。
【００１２】
フロント部跳ね上げ部材は回転軸を中心として回転するならば、フロント部は所定の角度まで旋回して跳ね上げられ、そして落下しないようにバネ力（弾性力）が付勢されている。フロント部跳ね上げ部材の回転軸から正面側へ当り片を突出し、この当り片の先端が中央部材の正面板に当たって位置決めされ、フロント部が跳ね上げられた場合には連結部が正面板と係合して位置決めされる。
【００１３】
一方、上記中央部材はフロント部に設けた取付け部に回転可能に軸支され、しかもバネ力が付勢されてフロント部を所定の位置に配置している。中央部材が回転することで該中央部材にフロント部跳ね上げ部材を介して取付けられたフロント部は折畳まれてケースに収容されるが、ケースから取り出すならば付勢されているバネ力によって中央部材は逆転して正規の位置に戻される。
ここで、上記中央部材を回転しないように取付け部に固定するならば、フロント部の折畳み機能がない跳ね上げ式メガネとして構成することが出来る。
【発明の効果】
【００１４】
本発明に係る跳ね上げ・折畳み式メガネは、そのフロント部を所定の角度に跳ね上げることが出来、しかもフロント部を折畳んでケースにコンパクトに収納することが出来る。フロント部を折畳むことが出来る軸にはコイルバネなどが取付けられているために、ケースを開くと同時に折畳まれたフロント部は付勢されているバネ力にて元の位置に戻され、折畳み機能を備えていない一般的なメガネと同じように顔に即座に掛けることが可能である。
【００１５】
そして、フロント部は所定の角度に跳ね上げることが出来、跳ね上げられたフロント部は付勢されているバネ力（弾性力）によって落下することなく所定の角度に保持される。本発明ではワタリの中央に中央部材を取付け、この中央部材にフロント部跳ね上げ部材を介してフロント部を取付けている。フロント部の折畳み操作は中央部材を回転することで行われ、フロント部の跳ね上げ操作は中央部材に取付けたフロント部跳ね上げ部材の回転によって行うことが出来る。
【００１６】
すなわち、フロント部の折畳み操作と跳ね上げ操作は、互いに分離した夫々の部材の回転で行うようにしているために動作は安定し、しかもフロント部の跳ね上げ角度に関してはフロント部跳ね上げ部材の回転軸に付勢したバネ力にて跳ね上がられたフロント部が落下することはなく、跳ね上げ角度は常に安定する。また、跳ね上げられないフロント部もフロント部跳ね上げ部材の軸に付勢したバネ力にて定位置に安定する。
【図面の簡単な説明】
【００１７】
【図１】本発明に係る跳ね上げ・折畳み式メガネの実施例で、平面図、正面図、及び側面図を表している。
【図２】取付け部を設けたワタリ中央部。
【図３】中央部材を示す実施例で、（ａ）は平面図、（ｂ）は正面図、（ｃ）は側面図。
【図４】中央部材の上に取付けられる上カバー。
【図５】リムを両側に固定してフロント部を構成するフロント部跳ね上げ部材を示す具体例。
【図６】図１におけるフロント中央部の拡大図で、（ａ）は平面図、（ｂ）は正面図、（ｃ）は側面図。
【発明を実施するための形態】
【００１８】
図１は本発明に係る跳ね上げ・折畳み式メガネを示している実施例であり、（ａ）は平面図、（ｂ）は正面図、（ｃ）側面図をそれぞれ表している。同図の１はフロント部、２はワタリ、３はヨロイ部、４はツルを示しており、フロント部１はワタリ２の中央部に取付けられている。ヨロイ部３，３はワタリ２の両側に連続して形成され、ツル４，４はヨロイ部３，３の先端に蝶番５，５を介して折畳み出来るように取付けられている。
【００１９】
ここで、同図に示すヨロイ部３，３はワタリ２の両側に連続して形成されているが、独立した部品としてヨロイを製作し、これをワタリ２の両端にロウ付けすることも出来る。上記フロント部１は両側にリム６，６を有し、リム６，６にはレンズが嵌っている。また、フロント部１の形態として、同図のようなリング状を成すフルリムを用いることなく、上側をハーフリムとして下側には水糸などの高張力糸を用いてレンズを保持するように構成することも出来る。又は、リムを持たない縁なしのフロント部として構成してもよい。
【００２０】
そして、フロント部１はワタリ２の中央に取付けられているが、直接でなく中央部材９を介して取付けられる。すなわち、該フロント部１は上方へ跳ね上げることが出来、また背面側へ旋回して折畳むことが出来るように取付けられている。
図２はワタリ２の中央部を示す具体例で、（ａ）は一部断面を含む平面図、（ｂ）は側面図をそれぞれ表している。ワタリ２の中央部には所定の間隔をおいて取付け部７，７が対を成して設けられ、該取付け部７，７にはネジを螺合するためのネジ穴８ａ，８ｂを設けている。同図では、両取付け部７，７がワタリ２と一体化した形状としているが、独立した部品として構成したものをロウ付けすることも出来る。
【００２１】
図３は上記ワタリ２の取付け部７，７に取付けられる中央部材９を示す具体例であり、該中央部材９は本体１０と正面板１１を有し、本体１０には上方を開口した半円状断面の軸受け部１２を設け、正面板側にはバネ収容空間１３，１３が対を成して形成され、そして上面にはネジ穴１４，１４を有している。
ところで、この中央部材９は上記取付け部７，７の間に挟まれ、そして上記軸受け部１２にコイルバネ２２を収容すると共に図４に示す上カバー１５を取付けて該コイルバネ２２の中心穴に軸ネジを挿通して取付け部７，７にネジ止めされる。したがって、中央部材９は軸ネジを中心として回転することが出来る。上記中央部材９の上面に設けたネジ穴１４，１４は上カバー１５をネジ止めするためのものである。
【００２２】
そして、バネ収容空間１３，１３にもコイルバネ２３，２３が収容され、図５に示すフロント部跳ね上げ部材１６が中央部材９に組み込まれる。
フロント部跳ね上げ部材１６は図５に示すように両側へアーム１７，１７を延ばし、両アーム１７，１７の間に設けた連結部１８の先端には軸１９，１９を両側へ延ばし、そして両軸１９，１９の間には当り片２０を正面側へ突出している。
【００２３】
図５には表していないが、両アーム１７，１７の先端にはリム６，６がロウ付けされて取付けられる。したがって、フロント部跳ね上げ部材１６が軸１９，１９を中心として回転するならば、フロント部１は跳ね上がられる。そして、フロント部１を折畳む場合には図３に示す中央部材９が軸ネジを中心として回転することで行われる。
【００２４】
図６は図１（ａ）のフロント中央部の拡大図を示し、ワタリ２に設けている取付け部７，７に中央部材９を取付け、中央部材９の正面板１１はワタリ２の正面に配置される。取付け部７，７に設けたネジ穴８ｂから軸ネジ２１を挿通してネジ穴８ａに螺合している。ここで、中央部材９の軸受け部１２にコイルバネ２２が収容されて上カバー１５が取付けられ、軸ネジ２１は軸受け部１２に収容されたコイルバネ２２の中心穴を貫通している。
【００２５】
ところで、軸受け部１２に収容したコイルバネ２２の一端は取付け部７に止着され、他端は中央部材９に止着されている。図６に示すように、上記コイルバネ２２のバネ力にて中央部材９に取付けた上カバー１５はワタリ中央部の下面に当接している。そして正面板１１はワタリ中央部の正面に配置されている。この場合、アーム１７，１７の先端に固定したリム６，６、すなわちフロント部１はメガネを掛けた際に顔の正面位置に配置される。
【００２６】
フロント部１のブリッジ（連結部）を構成するフロント部跳ね上げ部材１６の軸１９，１９にはコイルバネ２３，２３を取付けると共に中央部材９に形成しているバネ収容空間１３，１３に収容される。バネ収容空間１３，１３は対を成して形成されているが、図３に示しているように先端面２４，２４は中立軸Ｏ−Ｏに対して傾斜している。そして、バネ収容空間１３，１３の正面２５，２５は正面板１１と平行でなく傾斜し、中立軸Ｏ−Ｏ側では正面板１１に近付いている。
【００２７】
したがって、上記バネ収容空間１３，１３に圧縮して収容したコイルバネ２３，２３は、図６に示すようにフロント部跳ね上げ部材１６にバネ力を付勢し、該フロント部跳ね上げ部材１６が中立軸Ｏ−Ｏに配置すると共に正面板１１へ押圧される。フロント部跳ね上げ部材１６には両軸１９，１９の間に当り片２０を正面側へ突出しており、この当り片２０の先端２６が中央部材９の正面板１１の背面に当接することになる。
【００２８】
このように、フロント部跳ね上げ部材１６は中央部材９に組み込まれ、該フロント部跳ね上げ部材１６にはバネ収容空間１３，１３に収容しているコイルバネ２３，２３のバネ力が付勢されている。従って、フロント部跳ね上げ部材１６は正面板１１の側へ押圧されて位置決めされ、該フロント部跳ね上げ部材１６のアーム１７，１７の先端にリム６，６を固定して構成されるフロイント部１の位置決めがされる。
【００２９】
ところで、本発明に係るメガネはそのフロント部１を上方へ跳ね上げることが出来る。フロント部１は，図６（ｃ）に示すようにフロント部跳ね上げ部材１６の軸１９を中心として旋回して跳ね上げることが出来る。アーム１７ａはフロント部１が下りてメガネを掛けた場合に顔の正面に位置している場合であり、当り片２０の先端２６は正面板１１の背面に当接し、該フロント部１は位置ズレすることなく安定する。そして、アーム１７ａは軸受け部１２に近接している。
【００３０】
アーム１７ｂはフロント部１が跳ね上げられた場合の位置であり、アーム１７ａは軸１９を中心として角度θだけ回転する。この場合、当り片２０も回転して正面板１１から離れるが、フロント部跳ね上げ部材１６の連結部１８が正面板１１の下端部に形成した切欠き部２７に係合すると共に底面２８に当接することが出来る。
すなわち、バネ収容空間１３，１３に収容したコイルバネ２３，２３はそのバネ力をフロント部跳ね上げ部材１６に付勢して正面側へ押圧することで上記連結部１８は切欠き部２７に係合し、底面２８に当たって跳ね上げたフロント部１が自重で落下することはない。
【００３１】
一方、フロント部１を折畳む場合には、軸ネジ２１を中心として中央部材９がツル先端側へ回転し、該中央部材９はフロント部１と共に旋回して折畳まれる。折畳む際の旋回方向は図６（ｃ）において、軸２１を中心として反時計方向であり、中央部材９が回転することで軸受け部１２に収容されているコイルバネ２２は捩られ、フロント部１から手を離すと同時に捩られたバネ力で逆回転してフロント部１は正規の位置に戻される。
【００３２】
ところで、図３、図６に示す実施例では、中央部材９のバネ収容空間１３，１３にコイルバネ２３，２３を収容しているが、フロント部跳ね上げ部材１６を正面側へ押圧する弾性力を付勢することが出来るものであればよい。したがって、同図に示すコイルバネ２３，２３に限定しない。
ところで、以上説明した実施例では中央部材９が軸ネジ２１を中心として回転することでフロント部１が折畳まれる場合を説明している。ただし、この中央部材９がワタリ２に固定されて回転することが出来ないようにすることも出来る。この場合にはフロント部１は折畳まれることなく跳ね上げることのみ可能となる。
【符号の説明】
【００３３】
１  フロント部
２  ワタリ
３  ヨロイ部
４  ツル
５  蝶番
６  リム
７  取付け部
８  ネジ穴
９  中央部材
10  本体
11  正面板
12  軸受け部
13  バネ収容空間
14  ネジ穴
15  上カバー
16  フロント部跳ね上げ部材
17  アーム
18  連結部
19  軸
20  当り片
21  軸ネジ
22  コイルバネ
23  コイルバネ
24  先端面
25  正面
26  先端
27  切欠き部
28  底面
【図１】
2016114641.tif 000003
【図２】
2016114641.tif 000004
【図３】
2016114641.tif 000005
【図４】
2016114641.tif 000006
【図５】
2016114641.tif 000007
【図６】
2016114641.tif 000008